(57)【要約】【課題】幹線や支線の径寸法が異なる多種類の分岐部に組み付けることが可能であり、幹線や支線と保護具の間に形成される隙間を小さくして熱対策やコンパクトな取り付けも可能となる、新規な構造の分岐部用保護具を提供すること。【解決手段】支線１２ｂに取り付けられる第１／第２クリップ２０，２２と、第１／第２クリップ２０，２２とは別体形成の保護プレート２４を備え、保護プレート２４が、湾曲自在な本体部３４と、本体部３４の一方の端部に設けられた第１係合部３６と、本体部３４の他方の端部に設けられた第２係合部３８とを含んで構成されており、第１クリップ２０に保護プレート２４の第１係合部３６を係合させる一方、保護プレート２４の本体部３４を幹線１２ａの外周面に沿って湾曲させて、第２クリップ２２側に本体部３４を回り込ませて、第２クリップ２２に第２係合部３８を係合させて組み付けるようにした。【選択図】図１
2016111815.tif 000002
【特許請求の範囲】
【請求項１】
ワイヤハーネスの幹線から支線が分岐する分岐部に取り付けられる分岐部用保護具であって、
前記支線に個別に取り付けられる第１クリップおよび第２クリップと、
前記第１および第２クリップとは別体形成されて、前記分岐部を覆う保護プレートを備え、
前記保護プレートが、前記幹線の外周面に沿って湾曲自在な本体部と、該本体部の湾曲方向の一方の端部に設けられて前記第１クリップに係合する第１係合部と、前記本体部の湾曲方向の他方の端部に設けられて前記第２クリップに係合する第２係合部とを含んで構成されており、
前記第１クリップに前記保護プレートの前記第１係合部を係合させる一方、前記保護プレートの前記本体部を前記幹線の外周面に沿って湾曲させて、前記支線の前記第１クリップとは反対側に突設する前記第２クリップ側に前記本体部を回り込ませて、前記第２クリップに前記第２係合部を係合させて組み付けるようにした
ことを特徴とする分岐部用保護具。
【請求項２】
前記第１および第２係合部が、前記第１および第２クリップがそれぞれ挿通嵌合される挿通孔を備えており、前記第１および第２係合部の少なくとも一方には、前記挿通孔が前記湾曲方向に相互に離隔する位置に複数設けられている請求項１に記載の分岐部用保護具。
【請求項３】
前記本体部が複数の帯状部材が幅方向に配列されて相互にヒンジ連結させて構成されており、前記複数の帯状部材が、各前記帯状部材の板厚方向の下端側において隣接する他の前記帯状部材とヒンジ連結されて、各前記帯状部材の前記下端側が前記幹線側に配設されるようになっている請求項１又は２に記載の分岐部用保護具。
【請求項４】
前記本体部が、合成樹脂製の平板に対して、幅方向に延びる凹溝を微小ピッチで長手方向に連接して設けることにより、湾曲自在にした請求項１又は２に記載の分岐部用保護具。
【発明の詳細な説明】
【技術分野】
【０００１】
本発明は、ワイヤハーネスの保護具に関し、特に、ワイヤハーネスの幹線から支線が分岐する分岐部に取り付けられて用いられる分岐部用保護具に関する。
【背景技術】
【０００２】
従来から、自動車に用いられるワイヤハーネスは、多数の車載機器に対してバッテリからの電源供給等を行う目的から、バッテリから延びる幹線の複数箇所には、支線が分岐される分岐部が設けられている。
【０００３】
ところで、このようなワイヤハーネスには、円筒状のコルゲートチューブが外挿されてワイヤハーネスの他部材との干渉防止や外部環境からの保護が図られるようになっている。しかし、ワイヤハーネスの分岐部では、幹線から支線がＴ字状に分岐することから、円筒状のコルゲートチューブを外挿できず、特別な保護具により保護を行うことが提案されている。
【０００４】
例えば、特開２０１３−２２５９８１号公報（特許文献１）には、幹線を覆う円筒部と支線を覆う円筒部をＴ字状に一体化したものの半割体を分岐部の上下側から装着して相互に連結することで分岐部分を覆う合成樹脂製の保護具が提案されている。
【０００５】
ところが、このような保護具では、幹線および支線を覆う円筒部の径が固定されていることから、分岐部毎の形状にあわせた複数種類の保護具を準備する必要があり、汎用性に乏しいという問題があった。そこで、例えば一対の合成樹脂製の板部材を分岐部の上下側から重ね合せてビニールテープ等で固定することにより、幹線や支線の径寸法にかかわらず分岐部を保護する方法も提案されている。
【０００６】
このような方法であれば、幹線や支線の径寸法が異なる多種類の分岐部を一対の板部材で覆って保護することができる。しかしながら、幹線よりも支線の径が小さい場合等には、板部材が幹線や支線に対して傾斜して固定されることが避けられない。その結果、一対の板部材が突出して要求される他部材との配設隙間を確保できなかったり、場合によっては他部材との干渉を招来するおそれがあったのである。
【０００７】
加えて、一対の板部材で幹線および支線を挟み込む場合、幹線や支線に対する板部材の当接部位以外において、幹線や支線と板部材の間に隙間が生ずることとなる。それ故、かかる分岐部がエンジンの近傍等の熱雰囲気に晒される場合には、ワイヤハーネスの分岐部の熱対策が不十分となるおそれもあったのである。
【先行技術文献】
【特許文献】
【０００８】
【特許文献１】特開２０１３−２２５９８１号公報
【発明の概要】
【発明が解決しようとする課題】
【０００９】
本発明は、上述の事情を背景に為されたものであって、その解決課題は、幹線や支線の径寸法が異なる多種類の分岐部に組み付けることが可能であり、幹線や支線と保護具の間に形成される隙間を小さくして熱対策やコンパクトな取り付けも可能となる、新規な構造の分岐部用保護具を提供することにある。
【課題を解決するための手段】
【００１０】
本発明の第一の態様は、ワイヤハーネスの幹線から支線が分岐する分岐部に取り付けられる分岐部用保護具であって、前記支線に個別に取り付けられる第１クリップおよび第２クリップと、前記第１および第２クリップとは別体形成されて、前記分岐部を覆う保護プレートを備え、前記保護プレートが、前記幹線の外周面に沿って湾曲自在な本体部と、該本体部の湾曲方向の一方の端部に設けられて前記第１クリップに係合する第１係合部と、前記本体部の湾曲方向の他方の端部に設けられて前記第２クリップに係合する第２係合部とを含んで構成されており、前記第１クリップに前記保護プレートの前記第１係合部を係合させる一方、前記保護プレートの前記本体部を前記幹線の外周面に沿って湾曲させて、前記支線の前記第１クリップとは反対側に突設する前記第２クリップ側に前記本体部を回り込ませて、前記第２クリップに前記第２係合部を係合させて組み付けるようにしたことを特徴とする。
【００１１】
本態様によれば、分岐部用保護具が、支線に個別に取り付けられる第１および第２クリップと、それらクリップとは別体形成されて分岐部を覆う保護プレートを備えており、保護プレートが幹線の外周面に沿って湾曲自在な本体部と第１／第２クリップにそれぞれ係合される第１／第２係合部を湾曲方向の両端部に有している。従って、幹線の径の相違を支線に取り付ける第１／第２クリップの位置を異ならせることで適切に吸収することができ、多種類の分岐部に取り付けることができる。
【００１２】
しかも、分岐部を覆う保護プレートの本体部を幹線の外周面に沿って湾曲させて組み付けることができることから、第１クリップに第１係合部を係合させた後、本体部を幹線の外周面に沿って湾曲させて第２クリップ側に回り込ませ、適切に位置調整された第２クリップに第２係合部を係合させることで、幹線や支線と保護プレートとの間の隙間を極力小さくして分岐部用保護具を分岐部に対してコンパクトに取り付けることができる。それ故、仮に幹線に対して支線の径が小さくても、保護プレートが分岐部から突出して他部材との配設隙間が確保できなかったり、他部材と干渉するといった問題の発生を未然に防止できるのである。しかも、隙間を極力小さくできることによりワイヤハーネスの分岐部が熱雰囲気に晒されることを有利に防止できる。
【００１３】
なお、保護プレートの本体部は、幹線の外周面に沿って湾曲自在であれば、任意の形状が採用可能である。例えば、複数の帯状部材が幅方向に配列されて相互にヒンジ連結させて湾曲自在にしたものや、合成樹脂製の平板に対して幅方向に延びる凹溝を微小ピッチで長手方向に連接して設けることにより湾曲自在にしたもの等、が採用され得る。
【００１４】
本発明の第二の態様は、前記第一の態様に記載のものにおいて、前記第１および第２係合部が、前記第１および第２クリップがそれぞれ挿通嵌合される挿通孔を備えており、前記第１および第２係合部の少なくとも一方には、前記挿通孔が前記湾曲方向に相互に離隔する位置に複数設けられているものである。
【００１５】
本態様によれば、第１及び第２係合部の挿通孔に第１及び第２クリップを挿通嵌合することにより、第１及び第２クリップと保護プレートの確実な連結を容易に行うことができる。しかも、第１および第２係合部の少なくとも一方には、複数の挿通孔が湾曲方向で相互に離隔して設けられていることから、第１クリップや第２クリップの支線への固定位置を敢えて変えることなく、第１及び／又は第２クリップが挿通される挿通孔の位置を変えることで、一層容易に幹線の径の違いを吸収することができる。
【００１６】
本発明の第三の態様は、前記第一又は第二の態様に記載のものにおいて、前記本体部が複数の帯状部材が幅方向に配列されて相互にヒンジ連結させて構成されており、前記複数の帯状部材が、各前記帯状部材の板厚方向の下端側において隣接する他の前記帯状部材とヒンジ連結されて、各前記帯状部材の前記下端側が前記幹線側に配設されるようになっているものである。
【００１７】
本態様によれば、本体部を構成する幅方向に配列されてヒンジ連結された帯状部材が、それらの板厚方向の下端側において隣接する他の帯状部材とヒンジ連結されており、その下端側が幹線側に配設されている。それ故、帯状部材間の拡開角度が広く、あらゆる径寸法の幹線の外周面への追従性を良好に得ることができ、隙間の発生を一層有利に抑えることができる。
【００１８】
本発明の第四の態様は、前記第一又は第二の態様に記載のものにおいて、前記本体部が、合成樹脂製の平板に対して、幅方向に延びる凹溝を微小ピッチで長手方向に連接して設けることにより、湾曲自在にしたものである。
【００１９】
本態様によれば、比較的無段階に湾曲自在な保護プレートの本体部を構成することができ、保護プレートの本体部の幹線外周面への追従性を一層良好に得ることができる。
【発明の効果】
【００２０】
本発明によれば、分岐部用保護具が、支線に個別に取り付けられる第１／第２クリップと、別体形成で分岐部を覆う保護プレートを備えており、保護プレートが湾曲自在な本体部と第１／第２クリップに係合される第１／第２係合部をその両端部に有している。それ故、第１／第２クリップの取付位置を異ならせることで幹線の径の相違を適切に吸収でき、多種類の分岐部に取り付けられる。また、第１クリップに第１係合部を係合させた後、本体部を幹線の外周面に沿って湾曲させて、適切に位置調整された第２クリップに第２係合部を係合させることができることから、幹線や支線と保護プレートとの間の隙間を極力小さくして分岐部用保護具を分岐部に対してコンパクトに取り付けられる。それ故、保護プレートが分岐部から突出して他部材との配設隙間が確保できなかったり、他部材と干渉するといった問題の発生を未然に防止できる。しかも、隙間を極力小さくできることによりワイヤハーネスの分岐部が熱雰囲気に晒されることを有利に防止できる。
【図面の簡単な説明】
【００２１】
【図１】ワイヤハーネスの分岐部に対して、本発明の第一の実施形態としての分岐部用保護具を取り付ける様子を説明するための斜視図（（ａ）第１／第２クリップを支線に取り付けた状態、（ｂ）さらに保護プレートを分岐部に取り付けた状態）。
【図２】図１（ｂ）の正面図。
【図３】図１に示す保護プレートの展開図。
【図４】本発明の第二の実施形態としての分岐部用保護具を示す正面図であって、図２に相当する図。
【発明を実施するための形態】
【００２２】
以下、本発明の実施形態について、図面を参照しつつ説明する。
【００２３】
先ず、図１〜３に、本発明の第一の実施形態としての分岐部用保護具１０を示す。分岐部用保護具１０は、ワイヤハーネス１２の幹線１２ａから支線１２ｂが分岐する分岐部１４に取り付けられて使用される（図１参照）。すなわち、分岐部１４では、図１（ａ）に示されているように、幹線１２ａから支線１２ｂがＴ字状に分岐することから、幹線１２ａや支線１２ｂの電線束１６ａ、１６ｂを保護する円筒状のコルゲートチューブ１８ａ、１８ｂを外挿できず、新たな保護具として分岐部用保護具１０が必要となるのである。かかる分岐部用保護具１０は、支線１２ｂに個別に取り付けられる第１クリップ２０および第２クリップ２２と、第１／第２クリップ２０，２２とは別体形成されて分岐部１４を覆う保護プレート２４と、を備えて構成されている。なお、第１／第２クリップ２０，２２と保護プレート２４はそれぞれ、例えばポリプロピレン（ＰＰ）、ポリアミド（ＰＡ）等の合成樹脂により射出成形等によって一体形成されている。なお、以下の説明において、上方とは、図２中の上方、下方とは、図２中の下方を言うものとする。
【００２４】
第１クリップ２０および第２クリップ２２はいずれも、公知のワイヤハーネス用クランプであって、クリップ部２６が突設された図示しない基部と、基部の一方の端部より帯状に延出されてワイヤハーネス１２の支線１２ｂへ巻き付けられる結束バンド２８と、を含んで構成されている。クリップ部２６はきのこ状を呈しており、円錐形状の先端部と、先端部より小径とされた円柱形状の基端部から構成されている。そして、第１クリップ２０および第２クリップ２２はいずれも、結束バンド２８をワイヤハーネス１２に対して締め付けることによりワイヤハーネス１２に固定できるようになっている。
【００２５】
保護プレート２４は、図３に示されているように、平面視で略横長矩形状の本体部３４と、本体部３４の長手方向（図３中、左右方向）の両端部における幅方向中央部分から外方に向かって延出する略帯状の第１及び第２係合部３６，３８と、を含んで構成されている。本体部３４は、図１（ｂ）及び図２に示されているように、多数の縦長の帯状部材４０が幅方向に配列されて相互にヒンジ連結されて構成されている。より詳細には、本体部３４は、隣接する帯状部材４０が板厚方向の下端側においてヒンジ連結されている一方、後述するように帯状部材４０の板厚方向の下端側が幹線１２ａ側になるように配設されている。それ故、帯状部材４０間の拡開角度が広く、あらゆる径寸法の幹線１２ａの外周面への追従性を良好に得ることができ、本体部３４と幹線１２ａの外周面間の隙間の発生を一層有利に抑えることができるようになっている。このように、本体部３４は幹線１２ａの外周面に沿って湾曲自在とされており、湾曲方向とは長手方向（図３中、左右方向）を意味している。
【００２６】
本体部３４の湾曲方向の一方の端部に設けられた第１係合部３６には、第１クリップ２０が挿通嵌合される挿通孔４２が形成されている。より詳細には、第１係合部３６には、図３に示されているように、平面視で略中央部分に１つの略円形断面形状の挿通孔４２が貫設されている。一方、本体部３４の湾曲方向の他方の端部に設けられた第２係合部３８には、第２クリップ２２が挿通嵌合される挿通孔４４が形成されている。より詳細には、図３に示されているように、第１係合部３６よりも横長とされた第２係合部３８には、平面視で幅方向の略中央部分において湾曲方向に相互に離隔する位置に５つの略円形断面形状の挿通孔４４が貫設されている。かかる５つの挿通孔４４は、隣接する挿通孔４４及び板厚方向に開口する平面視で挿通孔４４の直径よりも狭幅とされた略矩形状の連結孔４６によって連通されている。
【００２７】
上述の如き構造とされた分岐部用保護具１０が、図１〜２に示されているように、ワイヤハーネス１２の分岐部１４に組み付けられる。より詳細には、先ず、図１（ａ）に示されているように、第１クリップ２０を、ワイヤハーネス１２の支線１２ｂの分岐部１４に近接する部位に巻き付けて、第１クリップ２０のクリップ部２６が下方に向かって突出するように固定する。続いて、第２クリップ２２を、ワイヤハーネス１２の支線１２ｂの分岐部１４から離隔する部位に巻き付けて、第２クリップ２２のクリップ部２６が上方に向かって突出するように固定する。
【００２８】
次に、保護プレート２４の第１係合部３６に設けられた挿通孔４２に、第１クリップ２０のクリップ部２６を挿通することにより、保護プレート２４の第１係合部３６を第１クリップ２０に係合させる。この際、保護プレート２４は、本体部３４の帯状部材４０のヒンジ連結された側が上になるように配設されている。続いて、保護プレート２４の本体部３４を幹線１２ａの外周面に沿って湾曲させることにより、第１クリップ２０のクリップ部２６とは反対側に突設する第２クリップ２２のクリップ部２６側に本体部３４を回り込ませることができる。そして、保護プレート２４の第２係合部３８に設けられた５つの挿通孔４４のいずれか（図１（ｂ）中、延出方向先端側から２番目に位置する挿通孔４４）に、第２クリップ２２のクリップ部２６を挿通することにより、保護プレート２４の第２係合部３８を第２クリップ２２に係合させる。以上の結果、分岐部用保護具１０が、ワイヤハーネス１２の分岐部１４に組み付けられるようになっている。
【００２９】
このような構成とされた分岐部用保護具１０によれば、支線１２ｂに取り付ける第１／第２クリップ２０，２２のクリップ部２６の位置を適宜異ならせることで、径寸法の異なる種々の幹線１２ａに対して余長や長さが足りない等の問題を生じることなく適切な装着が可能となり、幹線１２ａの径の相違を吸収できる。それ故、分岐部用保護具１０を多種類の分岐部１４に対して取り付けることが可能となるのである。しかも、保護プレート２４の本体部３４を幹線１２ａの外周面に沿って湾曲させて組み付けることができることから、分岐部用保護具１０を分岐部１４に対して、幹線１２ａや支線１２ｂと保護プレート２４との間の隙間を極力小さくしてコンパクトに取り付けることができる。それ故、幹線１２ａに対して支線１２ｂの径が小さい場合等に、従来のように板部材が突出して要求される他部材との配設隙間を確保できなかったり、他部材と干渉するといった問題の発生を未然に防止できる。また、隙間を極力小さくできることによりワイヤハーネス１２の分岐部１４が熱雰囲気に晒されることを有利に防止できる。
【００３０】
加えて、第１／第２係合部３６，３８の挿通孔４２，４４に第１／第２クリップ２０，２２のクリップ部２６を挿通嵌合することにより、分岐部用保護具１０がワイヤハーネス１２の分岐部１４に組み付けられるようになっている。それ故、第１／第２クリップ２０，２２と保護プレート２４の確実な連結を容易に行うことができる。しかも、第２係合部３８には、湾曲方向に相互に離隔する位置に５つの挿通孔４４が貫設されている。それ故、第１／第２クリップ２０，２２の支線１２ｂへの固定位置を変えなくとも、第２クリップ２０のクリップ部２６が挿通される挿通孔４４の位置を変えることで、一層容易に幹線１２ａの径の違いを吸収することができるのである。なお、本実施形態では、隣接する挿通孔４４同士が連結孔４６によって連通されていることから、第２係合部３８を力強く引っ張ることで、第２クリップ２２を挿通孔４４から離脱させずとも、嵌合する挿通孔４４を変えることができる。
【００３１】
次に、図４を用いて、本発明の第二の実施形態としての分岐部用保護具４８について詳述するが、上記実施形態と同様な構造とされた部材および部位については、図中に、上記実施形態と同一の符号を付することにより、それらの詳細な説明を省略する。すなわち、かかる分岐部用保護具４８は、本体部５０が、合成樹脂製の平板５２に対して、幅方向に延びる凹溝５４を微小ピッチで長手方向に連接して設けることにより、湾曲自在とされている点に関して、上記実施形態と異なる実施形態を示すものである。本実施形態の分岐部用保護具４８によれば、比較的無段階に湾曲自在な保護プレート５６の本体部５０を構成することができることから、保護プレート５６の本体部５０の幹線１２ａ外周面への追従性を一層良好に得ることができる。
【００３２】
以上、本発明の実施形態について説明してきたが、かかる実施形態における具体的な記載によって、本発明は、何等限定されるものでない。例えば、本実施形態では、第２係合部３８に複数の挿通孔４４が貫設されていたが、第１係合部３６に複数の挿通孔４２が貫設されていてもよいし、第１／第２係合部３６，３８の両方に複数の挿通孔４２，４４が貫設されていてもよい。なお、かかる挿通孔４２，４４の個数や配設位置や形状等については、任意に設定可能である。また、上記第一／第二の実施形態において、保護プレート２４，５６の本体部３４，５０の形状について例示したが、幹線１２ａの外周面に沿って湾曲自在であれば、任意の形状が採用可能である。
【符号の説明】
【００３３】
１０，４８：分岐部用保護具、１２：ワイヤハーネス、１２ａ：幹線、１２ｂ：支線、１４：分岐部、２０：第１クリップ、２２：第２クリップ、２４，５６：保護プレート、３４，５０：本体部、３６：第１係合部、３８：第２係合部、４０：帯状部材、４２：挿通孔、４４：挿通孔、５２：平板、５４：凹溝
【図１】
2016111815.tif 000003
【図２】
2016111815.tif 000004
【図３】
2016111815.tif 000005
【図４】
2016111815.tif 000006